(57)【要約】【課題】傍受される確率を低減した通信を行う。【解決手段】ＩＰパケットを複数の分割パケットに分割するパケット分割部１１０と、複数の分割パケットそれぞれに、ＩＰパケットを復元するための識別情報を付与する識別情報付与部１２０と、識別情報が付与された複数の分割パケットそれぞれを複数の通信回線を経由して送信先の装置へ送信するパケット送信部１３０と、複数の通信回線を経由してそれぞれ送信されてきた複数の分割パケットから、その分割パケットそれぞれに付与されている識別情報を用いて、ＩＰパケットを復元する復元部１４０とを有する。【選択図】図１
2017168981.tif 000002
【特許請求の範囲】
【請求項１】
ＩＰ（Ｉｎｔｅｒｎｅｔ  Ｐｒｏｔｏｃｏｌ）パケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部と、
前記複数の通信回線を経由してそれぞれ送信されてきた複数の分割パケットから、該分割パケットそれぞれに付与されている識別情報を用いて、前記ＩＰパケットを復元する復元部とを有する通信装置。
【請求項２】
請求項１に記載の通信装置において、
前記ＩＰパケットをカプセル化してカプセルパケットを生成するカプセル化部と、
前記復元されたＩＰパケットがカプセル化されている場合、該カプセル化を解除するカプセル化解除部とを有し、
前記パケット分割部は、前記カプセル化部が生成したカプセルパケットを前記複数の分割パケットに分割し、
前記復元部は、前記複数の通信回線を経由してそれぞれ送信されてきた複数の分割パケットから、該分割パケットそれぞれに付与されている識別情報を用いて、前記カプセルパケットを復元する通信装置。
【請求項３】
請求項２に記載の通信装置において、
前記識別情報付与部は、同一のカプセルパケットから分割された複数の分割パケットに同一の第１の識別情報を付与し、該カプセルパケットにおける前記複数の分割パケットのそれぞれの位置を示す第２の識別情報を付与する通信装置。
【請求項４】
請求項２または請求項３に記載の通信装置において、
前記ＩＰパケットを受信するＩＰパケット受信部と、
前記複数の分割パケットを受信するパケット受信部と、
前記カプセル化解除部がカプセル化を解除したＩＰパケットを送信するＩＰパケット送信部とを有し、
前記カプセル化部は、前記ＩＰパケット受信部が受信したＩＰパケットをカプセル化し、
前記復元部は、前記パケット受信部が受信した複数の分割パケットから前記カプセルパケットを復元する通信装置。
【請求項５】
請求項１から４のいずれか１項に記載の通信装置において、
前記パケット送信部が送信する前記複数の分割パケットそれぞれに、宛先情報および送信元情報を付与するアドレス設定部を有する通信装置。
【請求項６】
ＩＰパケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部とを有する通信装置。
【請求項７】
請求項６に記載の通信装置において、
前記ＩＰパケットをカプセル化してカプセルパケットを生成するカプセル化部とを有し、
前記パケット分割部は、前記カプセル化部が生成したカプセルパケットを前記複数の分割パケットに分割する通信装置。
【請求項８】
複数の通信回線を経由してそれぞれ送信されてきた複数の分割パケットから、該分割パケットそれぞれに付与されている識別情報を用いて、ＩＰパケットを復元する復元部を有する通信装置。
【請求項９】
請求項８に記載の通信装置において、
前記復元されたＩＰパケットがカプセル化されたカプセルパケットである場合、該カプセル化を解除するカプセル化解除部を有し、
前記復元部は、前記複数の通信回線を経由してそれぞれ送信されてきた複数の分割パケットから、該分割パケットそれぞれに付与されている識別情報を用いて、前記カプセルパケットを復元する通信装置。
【請求項１０】
ＩＰパケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部とを有する第１の通信装置と、
前記複数の通信回線を経由してそれぞれ送信されてきた複数の分割パケットから、該分割パケットそれぞれに付与されている識別情報を用いて、前記ＩＰパケットを復元する復元部を有する第２の通信装置とを有する通信システム。
【発明の詳細な説明】
【技術分野】
【０００１】
本発明は、通信装置および通信システムに関する。
【背景技術】
【０００２】
図１４は、ＩＰ（Ｉｎｔｅｒｎｅｔ  Ｐｒｏｔｏｃｏｌ）パケットを用いて通信を行う一般的な通信システムの一例を示す図である。
図１４には、通信装置１０００から、中継装置となる通信装置２０００，２００１を介して通信装置１００１へＩＰパケットを送信する例を示す。通信装置１０００は通信装置１００１宛てにＩＰパケット送信する。
通信装置２０００内に設けられたＩＰパケット受信部２００２は、通信装置１０００から送信されてきたＩＰパケットを受信する。データ設定部２００６は、ＩＰパケット受信部２００２が受信したＩＰパケットを一時的に保持する。送信元ＩＰアドレス設定部２００４は、このＩＰパケットを対向側の中継装置へ送信するために、通信回線の送信元ＩＰアドレスをＩＰアドレス格納部２００３から読み出して設定する。宛先ＩＰアドレス設定部２００５は、対向側の宛先ＩＰアドレスを設定する。ＩＰパケット送信部２００７は、ＩＰパケットを通信回線へ送信する。
通信装置２００１内に設けられたＩＰパケット受信部２００８は、通信装置２０００から通信回線を介して送信されてきたＩＰパケットを受信する。データ処理部２０１１は、ＩＰパケット受信部２００８が受信したＩＰパケットを一時的に保持する。送信元ＩＰアドレス検出部２００９は、ＩＰパケット受信部２００８が受信したＩＰパケットの送信元ＩＰアドレスを検出する。宛先ＩＰアドレス検出部２０１０は、ＩＰアドレス格納部２０１２に格納されたＩＰアドレスを参照し、ＩＰパケット受信部２００８が受信したＩＰパケットの宛先ＩＰアドレスを検出する。ＩＰパケット送信部２０１３は、ＩＰパケットを通信装置１００１へ送信する。
また、通信回線の帯域と送信されるＩＰパケットの通信速度とに応じて、当該ＩＰパケットを複数に分割して、複数の通信回線を使用して送信する技術が考えられている（例えば、特許文献１参照。）。
【先行技術文献】
【特許文献】
【０００３】
【特許文献１】特開２００３−３３８８４３号公報
【発明の概要】
【発明が解決しようとする課題】
【０００４】
しかしながら、上述した１つの通信回線を用いた通信システムにおいては、送信側のクライアントから受信側のデータセンターまでの通信回線内で、悪意のある第三者によってデータが傍受されるおそれがある。また、特許文献１に記載された技術においても、帯域速度や通信回線の空き状態によっては、複数の回線が使用できないことがあり、同様の課題を持つこととなる。
【０００５】
本発明の目的は、上述した課題を解決する通信装置および通信システムを提供することである。
【課題を解決するための手段】
【０００６】
本発明の通信装置は、
ＩＰパケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部と、
前記複数の通信回線を経由してそれぞれ送信されてきた複数の分割パケットから、該分割パケットそれぞれに付与されている識別情報を用いて、前記ＩＰパケットを復元する復元部とを有する。
また、
ＩＰパケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部とを有する。
また、
複数の通信回線を経由してそれぞれ送信されてきた複数の分割パケットから、該分割パケットそれぞれに付与されている識別情報を用いて、ＩＰパケットを復元する復元部を有する。
また、本発明の通信システムは、
ＩＰパケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部とを有する第１の通信装置と、
前記複数の通信回線を経由してそれぞれ送信されてきた複数の分割パケットから、該分割パケットそれぞれに付与されている識別情報を用いて、前記ＩＰパケットを復元する復元部を有する第２の通信装置とを有する。
【発明の効果】
【０００７】
以上説明したように、本発明においては、傍受される確率を低減した通信を行うことができる。
【図面の簡単な説明】
【０００８】
【図１】本発明の通信装置の第１の実施の形態を示す図である。
【図２】図１に示した通信装置における分割パケットの送信処理を説明するためのフローチャートである。
【図３】図１に示した通信装置における分割パケットの受信処理を説明するためのフローチャートである。
【図４】本発明の通信装置の第２の実施の形態を示す図である。
【図５】図４に示した通信装置の内部構成の一例を示す図である。
【図６】図４に示した通信装置の内部構成の一例を示す図である。
【図７】図４に示した送信側の通信装置における送信データに対する処理を説明するための図である。
【図８】図４に示した受信側の通信装置における受信データに対する処理を説明するための図である。
【図９】図４に示した送信側の通信装置における処理を説明するためのフローチャートである。
【図１０】図４に示した受信側の通信装置における処理を説明するためのフローチャートである。
【図１１】図５に示したパケット分割部が行う分割方法の他の例を説明するための図である。
【図１２】図６に示した復元部が行う復元方法の他の例を説明するための図である。
【図１３】図５に示したパケット分割部が行う分割方法の他の例を説明するための図である。
【図１４】ＩＰパケットを用いて通信を行う一般的な通信システムの一例を示す図である。
【発明を実施するための形態】
【０００９】
以下に、本発明の実施の形態について図面を参照して説明する。
（第１の実施の形態）
【００１０】
図１は、本発明の通信装置の第１の実施の形態を示す図である。
本形態における通信装置１００は図１に示すように、パケット分割部１１０と、識別情報付与部１２０と、パケット送信部１３０と、復元部１４０とを有している。なお、図１には、本形態における通信装置１００が具備する構成要素のうち、本実施の形態に関わる主要な構成要素の一例を示す。
【００１１】
パケット分割部１１０は、受信したＩＰパケットを複数の分割パケットに分割する。
識別情報付与部１２０は、パケット分割部１１０が分割した複数の分割パケットそれぞれに、ＩＰパケットを復元するための識別情報を付与する。
パケット送信部１３０は、識別情報が付与された複数の分割パケットそれぞれを複数の通信回線を経由して送信先の装置へ送信する。
復元部１４０は、複数の通信回線を経由してそれぞれ送信されてきた複数の分割パケットから、分割パケットそれぞれに付与されている識別情報を用いて、ＩＰパケットを復元する。
【００１２】
以下に、図１に示した通信装置１００における処理について説明する。まずは、図１に示した通信装置１００における分割パケットの送信処理について説明する。図２は、図１に示した通信装置１００における分割パケットの送信処理を説明するためのフローチャートである。
パケット分割部１１０が、受信したＩＰパケットを複数のパケットに分割する（ステップＳ１）。続いて、識別情報付与部１２０が、パケット分割部１１０が分割した複数の分割パケットそれぞれに、ＩＰパケットを復元するための識別情報を付与する（ステップＳ２）。すると、パケット送信部１３０が、識別情報が付与された複数の分割パケットそれぞれを複数の通信回線を経由して送信先の装置へ送信する（ステップＳ３）。
【００１３】
続いて、図１に示した通信装置１００における分割パケットの受信処理について説明する。図３は、図１に示した通信装置１００における分割パケットの受信処理を説明するためのフローチャートである。
復元部１４０が、複数の通信回線を経由してそれぞれ送信されてきた複数の分割パケットから、分割パケットそれぞれに付与されている識別情報を用いて、ＩＰパケットを復元する（ステップＳ１１）。
【００１４】
このように、通信装置１００が、受信したＩＰパケットを複数の分割パケットに分割し、復元させるための識別情報を付与して複数の通信回線それぞれに分割パケットそれぞれを送信し、受信した分割パケットから識別情報を用いてＩＰパケットを復元する。これにより、傍受される確率を低減した通信を行うことができる。
（第２の実施の形態）
【００１５】
図４は、本発明の通信装置の第２の実施の形態を示す図である。図４に示した形態は、本発明の通信装置１０１，１０２がそれぞれ複数の通信回線４０１−１〜４０１−３を介して接続されている通信システムである。また、中継装置となる通信装置１０１とＩＰパケットを送信する通信装置２０１とが、ローカルネットワーク３０１を介して接続されている。また、中継装置となる通信装置１０２とＩＰパケットを受信する通信装置２０２とが、ローカルネットワーク３０２を介して接続されている。図４では、通信回線が３つである例を挙げて示しているが、通信回線の数は、２つであっても良いし、４つ以上であっても良く、複数であれば良い。
【００１６】
図５は、図４に示した通信装置１０１の内部構成の一例を示す図である。図４に示した通信装置１０１は図５に示すように、パケット分割部１１１と、識別情報付与部１２１と、パケット送信部１３１と、ＩＰパケット受信部１４１と、カプセル化部１５１と、アドレス設定部１６１と、ＩＰアドレス格納部１７１とを有している。なお、図５には、図４に示した通信装置１０１が具備する構成要素のうち、本実施の形態に関わる主要な構成要素の一例を示す。
【００１７】
ＩＰパケット受信部１４１は、通信装置２０１から送信されたＩＰパケットを、ローカルネットワーク３０１を介して受信する。
カプセル化部１５１は、ＩＰパケット受信部１４１が受信したＩＰパケットをカプセル化してカプセルパケットを生成する。ここで、カプセル化部１５１におけるカプセル化の方法は、一般的にパケットデータをカプセル化する方法と同じ方法で良い。
パケット分割部１１１は、カプセル化部１５１が生成したカプセルパケットを複数の分割パケットに分割する。パケット分割部１１１が分割する分割パケットの数は、少なくとも通信装置１０１が接続している通信回線の数が好ましい。また、パケット分割部１１１が分割する分割パケットのデータの長さは固定長である。具体的な分割の方法については、後述する。
識別情報付与部１２１は、パケット分割部１１１が分割した分割パケットそれぞれに、カプセルパケットを復元するための識別情報を付与する。識別情報付与部１２１は、同一のカプセルパケットから分割された複数の分割パケットに同一の識別情報（第１の識別情報）を付与する。また、識別情報付与部１２１は、１つのカプセルパケットにおける複数の分割パケットの位置を示す識別情報（第２の識別情報）を複数の分割パケットそれぞれに付与する。
ＩＰアドレス格納部１７１は、あらかじめ設定されたＩＰアドレス情報を格納する。
アドレス設定部１６１は、パケット送信部１３１が送信する複数の分割パケットそれぞれに、宛先情報および送信元情報を付与する。ここで、宛先情報は、分割パケットの宛先のＩＰアドレスである。また、送信元情報は、分割パケットの送信元のＩＰアドレスである。アドレス設定部１６１は、送信元情報をＩＰアドレス格納部１７１から読み出して分割パケットそれぞれに付与する。
パケット送信部１３１は、識別情報およびアドレス情報がそれぞれ付与された複数の分割パケットを通信回線４０１−１〜４０１−３を介して通信装置１０２へ送信する。
なお、識別情報付与部１２１、パケット送信部１３１、アドレス設定部１６１およびＩＰアドレス格納部１７１は、通信装置１０１と接続された通信回線の数だけ別々に設けられていても良い。この場合、アドレス設定部１６１が複数の分割パケットに付与する送信元情報もそれぞれの通信回線（パケット送信部１３１）に応じたＩＰアドレスとなる。また、通信装置１０１は、識別情報付与部１２１が識別情報を付与した分割パケットを一時的に保持するデータ設定部を有しても良い。
【００１８】
図６は、図４に示した通信装置１０２の内部構成の一例を示す図である。図４に示した通信装置１０２は図６に示すように、パケット受信部１１２と、アドレス検出部１２２と、ＩＰアドレス格納部１３２と、復元部１４２と、カプセル化解除部１５２と、ＩＰパケット送信部１６２とを有している。なお、図６には、図４に示した通信装置１０２が具備する構成要素のうち、本実施の形態に関わる主要な構成要素の一例を示す。
【００１９】
パケット受信部１１２は、通信装置１０１から通信回線４０１−１〜４０１−３それぞれを介して送信されてきた複数の分割パケットを受信する。
アドレス検出部１２２は、パケット受信部１１２が受信した分割パケットのヘッダに含まれる宛先アドレスを検出する。このとき、アドレス検出部１２２は、ＩＰアドレス格納部１３２に格納されているＩＰアドレスと、パケット受信部１１２が受信した分割パケットのヘッダに含まれる宛先ＩＰアドレスとを比較し、一致したものを通信装置１０２宛ての分割パケットであると認識する。
ＩＰアドレス格納部１３２は、あらかじめ設定されたＩＰアドレス情報を格納する。
復元部１４２は、通信装置１０１から通信回線４０１−１〜４０１−３を経由してそれぞれ送信されてきた複数の分割パケットから、これらの分割パケットそれぞれに付与されている識別情報を用いて、カプセルパケットを復元する。
カプセル化解除部１５２は、復元部１４２が復元したカプセルパケットのカプセル化を解除して、ＩＰパケットを取得する。このカプセル化の解除に用いるアルゴリズムは、カプセル化部１５１におけるカプセル化の逆変換のアルゴリズムを用いることが良い。
ＩＰパケット送信部１６２は、カプセル化解除部１５２がカプセル化を解除したＩＰパケットを、ローカルネットワーク３０２を介して通信装置２０２へ送信する。
なお、パケット受信部１１２、アドレス検出部１２２およびＩＰアドレス格納部１３２は、通信装置１０２と接続された通信回線の数だけ別々に設けられていても良い。この場合、通信装置１０１から送信されてきた複数の分割パケットに付与されている宛先情報もそれぞれの通信回線（パケット受信部１１２）に応じたＩＰアドレスとなる。また、通信装置１０２は、パケット受信部１１２が受信した分割パケットを一時的に保持するデータ処理部を有しても良い。
【００２０】
以下に、図４に示した通信装置１０１における送信データに対する処理について説明する。図７は、図４に示した通信装置１０１における送信データに対する処理を説明するための図である。
まず、ＩＰパケット受信部１４１が受信したＩＰパケットは、通信装置２０１のＩＰアドレスが送信元アドレスとして設定され、通信装置２０２のＩＰアドレスが宛先アドレスとして設定されたヘッダが、ペイロードに設定されたデータに付与されたものとなっている。このＩＰパケットをカプセル化部１５１がカプセル化する。すると、パケット分割部１１１が、このカプセルパケットを複数の分割パケットに分割する。図７に示した例では、パケット分割部１１１はカプセルパケットを３つの分割パケット（カプセルパケットＡ，Ｂ，Ｃ）に分割する。続いて、識別情報付与部１２１は、パケット分割部１１１が分割した分割パケットそれぞれに、カプセルパケットを復元するための識別情報を付与する。また、アドレス設定部１６１は、その分割パケットそれぞれに送信元アドレスとして通信装置１０１のＩＰアドレスを、宛先アドレスとして通信装置１０２のＩＰアドレスを付与する。ここで、アドレス設定部１６１およびパケット送信部１３１が、通信装置１０１と接続された通信回線の数だけ別々に設けられている場合、アドレス設定部１６１が設定する送信元アドレスは、その分割パケットを送信するパケット送信部１３１に付与されているＩＰアドレスとなる。また、パケット受信部１１２およびアドレス検出部１２２が、通信装置１０２と接続された通信回線の数だけ別々に設けられている場合、アドレス設定部１６１が設定する宛先アドレスは、その分割パケットを受信するパケット受信部１１２に付与されているＩＰアドレスとなる。また、識別情報付与部１２１が付与する識別情報は、カプセルパケットＡ，Ｂ，Ｃに共通する識別情報と、カプセルパケットＡ，Ｂ，Ｃが分割前のカプセルパケットのどの位置に配置されていたかを示す識別情報とを含む。そして、パケット送信部１３１が、アドレス情報および識別情報が付与された分割パケットそれぞれを通信回線４０１−１〜４０１−３を介して通信装置１０２へ送信する。例えば、パケット送信部１３１が、通信回線４０１−１を介してカプセルパケットＡを通信装置１０２へ送信し、通信回線４０１−２を介してカプセルパケットＢを通信装置１０２へ送信し、通信回線４０１−３を介してカプセルパケットＣを通信装置１０２へ送信する。この分割パケットと、経由する通信回線との割り当ては、特にこれに限らない。例えば、パケット送信部１３１が、通信回線４０１−１を介してカプセルパケットＣを通信装置１０２へ送信し、通信回線４０１−２を介してカプセルパケットＡを通信装置１０２へ送信し、通信回線４０１−３を介してカプセルパケットＢを通信装置１０２へ送信するものであっても良い。
【００２１】
以下に、図４に示した通信装置１０２における受信データに対する処理について説明する。図８は、図４に示した通信装置１０２における受信データに対する処理を説明するための図である。
まず、通信装置１０１から通信回線４０１−１〜４０１−３をそれぞれ介して送信されてきた分割パケットをパケット受信部１１２が受信すると、復元部１４２が、分割パケットそれぞれに付与されている識別情報に基づいて、カプセルパケットを復元する。図８に示した例では、１つのカプセルパケットが３つの分割データＡ，Ｂ，Ｃに分割されて受信されている。復元部１４２は、この分割データＡ，Ｂ，Ｃを識別情報に基づいて、カプセルパケットを復元する。上述したように識別情報には、カプセルパケットＡ，Ｂ，Ｃに共通する識別情報と、カプセルパケットＡ，Ｂ，Ｃが分割前のカプセルパケットのどの位置に配置されていたかを示す識別情報とが含まれる。この２つの情報を用いることで、復元部１４２は、カプセルパケットを復元する。すると、カプセル化解除部１５２がカプセルパケットのカプセル化を解除して元のＩＰパケットを取得する。
【００２２】
以下に、図４に示した通信装置１０１における処理について説明する。図９は、図４に示した通信装置１０１における処理を説明するためのフローチャートである。
ＩＰパケット受信部１４１が、通信装置２０１から送信されたＩＰパケットを、ローカルネットワーク３０１を介して受信する（ステップＳ２１）。すると、カプセル化部１５１は、ＩＰパケット受信部１４１が受信したＩＰパケットをカプセル化してカプセルパケットを生成する（ステップＳ２２）。続いて、パケット分割部１１１は、カプセル化部１５１が生成したカプセルパケットを複数の分割パケットに分割する（ステップＳ２３）。
すると、識別情報付与部１２１は、パケット分割部１１１が分割した分割パケットそれぞれに、カプセルパケットを復元するための識別情報を付与する（ステップＳ２４）。このとき、識別情報付与部１２１は、同一のカプセルパケットから分割された複数の分割パケットに同一の識別情報を付与する。また、識別情報付与部１２１は、１つのカプセルパケットにおける複数の分割パケットの位置を示す識別情報を複数の分割パケットそれぞれに付与する。また、アドレス設定部１６１は、パケット分割部１１１が分割した分割パケットそれぞれに、アドレス情報（宛先ＩＰアドレスおよび送信元ＩＰアドレス）を付与する（ステップＳ２５）。このとき、アドレス設定部１６１は、送信元ＩＰアドレスをＩＰアドレス格納部１７１から読み出して分割パケットそれぞれに付与する。そして、パケット送信部１３１は、識別情報およびアドレス情報がそれぞれ付与された複数の分割パケットを通信回線４０１−１〜４０１−３を介して通信装置１０２へ送信する（ステップＳ２６）。
【００２３】
以下に、図４に示した通信装置１０２における処理について説明する。図１０は、図４に示した通信装置１０２における処理を説明するためのフローチャートである。
パケット受信部１１２が、通信装置１０１から通信回線４０１−１〜４０１−３それぞれを介して送信されてきた複数の分割パケットを受信する（ステップＳ３１）。すると、復元部１４２は、通信装置１０１から通信回線４０１−１〜４０１−３を経由してそれぞれ送信されてきた複数の分割パケットから、これらの分割パケットそれぞれに付与されている識別情報を用いて、カプセルパケットを復元する（ステップＳ３２）。続いて、カプセル化解除部１５２は、復元部１４２が復元したカプセルパケットのカプセル化を解除して、ＩＰパケットを取得する（ステップＳ３３）。そして、ＩＰパケット送信部１６２は、カプセル化解除部１５２がカプセル化を解除したＩＰパケットを、ローカルネットワーク３０２を介して通信装置２０２へ送信する（ステップＳ３４）。
【００２４】
このように、通信装置１０１が、通信装置２０１から送信されてきたＩＰパケットをカプセル化して複数の分割パケットに分割する。通信装置１０１は、受信側でカプセルパケットを復元するための識別情報をそれぞれの分割パケットに付与して、複数の通信回線を介して通信装置１０２へ送信する。受信側の通信装置１０２は、通信装置１０１から複数の通信回線を介してそれぞれ送信されてきた分割パケットを、それぞれに付与されている識別情報を用いて復元し、カプセル化を解除する。通信装置１０２は、カプセル化を解除したＩＰパケットを通信装置２０２へ送信する。このため、通信回線内で悪意のある第三者によりデータが傍受された場合でも、全ての通信回線を傍受しない限り、完全な元のパケットデータは復元できない。したがって、データ復元の危険性を回避することが出来る。また、通信装置１０１が、ＩＰパケットを複数の通信回線に分散してデータを送信するため、データ量が大きい通信に対しても遅延発生の回避ができる。また、一部の通信回線が不通となった場合には、該当通信回線以外の通信回線を使用することにより通信断となる危険を回避することができる。
【００２５】
また、図４に示した通信装置１０１，１０２それぞれは、図５に示した構成要素と図６に示した構成要素との双方を具備するものであっても良い。
（変形例）
【００２６】
上述した例では、通信回線が３つであり、１つのＩＰアドレスから分割される分割パケットが３つである場合を挙げて説明した。
以下に、分割パケットの生成方法および復元方法の他の例を説明する。
【００２７】
図１１は、図５に示したパケット分割部１１１が行う分割方法の他の例を説明するための図である。
図１１に示すように、カプセル化部１５１がＩＰパケットをカプセル化した後、パケット分割部１１１がそのカプセルパケットをＡ〜Ｆの６つに分割する。そして、パケット分割部１１１が、あらかじめ設定された方法でそれらを組み合わせて３つのカプセルパケットを生成する。図１１に示した例では、パケット分割部１１１は、分割パケットＡと分割パケットＤとを組み合わせてカプセルパケット（１）を生成する。また、パケット分割部１１１は、分割パケットＢと分割パケットＥとを組み合わせてカプセルパケット（２）を生成する。また、パケット分割部１１１は、分割パケットＣと分割パケットＦとを組み合わせてカプセルパケット（３）を生成する。そして、識別情報付与部１２１が、カプセルパケット（１）〜（３）のそれぞれに識別情報を付与する。この識別情報には、カプセルパケット（１）〜（３）に含まれる分割パケットＡ〜Ｆの共通の識別情報（結合パケット識別情報）と、カプセルパケット（１）〜（３）それぞれには分割パケットＡ〜Ｆのいずれが含まれており、その分割パケットＡ〜Ｆそれぞれが、元のカプセルパケットのどの位置に配置されるものなのかを示す識別情報（分割パケット位置情報）とが含まれる。そして、アドレス設定部１６１が、識別情報（１）〜（３）がそれぞれ付与されたカプセルパケット（１）〜（３）それぞれに、通信回線４０１−１〜４０１−３ごとの送信元アドレスおよび宛先アドレスを付与する。パケット送信部１３１が、送信元アドレスおよび宛先アドレスが付与された分割パケット（１）〜（３）を、通信回線４０１−１〜４０１−３を介して通信装置１０２へ送信する。
【００２８】
図１２は、図６に示した復元部１４２が行う復元方法の他の例を説明するための図である。
図１２に示すように、復元部１４２は、パケット受信部１１２が通信回線４０１−１〜４０１−３それぞれを介して受信した分割パケット（１）〜（３）にそれぞれ付与されている識別情報（１）〜（３）を解析する。図１２に示した例では、分割パケット（１）に含まれているカプセルパケット（１）には、分割パケットＡと分割パケットＤとが含まれている。また、分割パケット（２）に含まれているカプセルパケット（２）には、分割パケットＢと分割パケットＥとが含まれている。また、分割パケット（３）に含まれているカプセルパケット（３）には、分割パケットＣと分割パケットＦとが含まれている。識別情報（１）〜（３）には、分割パケットＡ〜Ｆが１つのカプセルパケットから分割されたことを識別するための識別情報が含まれている。この識別情報を用いて、復元部１４２は、分割パケットＡ〜Ｆが１つのカプセルパケットから分割されたことを識別する。また、識別情報（１）〜（３）には、分割パケットＡ〜Ｆが１つのカプセルパケットのどの位置に配置されるものかを識別するための識別情報が含まれている。この識別情報を用いて、復元部１４２は、分割パケットＡ〜Ｆをその位置（順番）に並べてカプセルパケットを復元する。カプセルパケットが復元されると、カプセル化解除部１５２がカプセル化を解除して、元のＩＰパケットを取得する。
【００２９】
図１３は、図５に示したパケット分割部１１１が行う分割方法の他の例を説明するための図である。
通信回線が複数存在し、そのうち使用する数を識別情報付与部１２１が任意に設定する。例えば、図１３に示すように、識別情報付与部１２１は、識別情報の中に、「パケット経路数情報」を設定する。図１３に示した例では、識別情報付与部１２１は、「パケット経路数情報」に「４」を設定する。
カプセル化部１５１がＩＰパケットをカプセル化した後、パケット分割部１１１がそのカプセルパケットをＡ〜Ｈの８つに分割する。そして、パケット分割部１１１が、任意に設定された方法でそれらを組み合わせて４つのカプセルパケットを生成する。この分割方法は、識別情報の中の「分割方式情報」に含まれる。パケット分割部１１１は、この「分割方式情報」にしたがってパケットの分割および組み合わせを行う。図１３に示した例では、パケット分割部１１１は、分割パケットＢと分割パケットＡとを組み合わせてカプセルパケット（１）を生成する。また、パケット分割部１１１は、分割パケットＤと分割パケットＣとを組み合わせてカプセルパケット（２）を生成する。また、パケット分割部１１１は、分割パケットＦと分割パケットＥとを組み合わせてカプセルパケット（３）を生成する。また、パケット分割部１１１は、分割パケットＨと分割パケットＧとを組み合わせてカプセルパケット（４）を生成する。そして、識別情報付与部１２１が、カプセルパケット（１）〜（４）のそれぞれに識別情報を付与する。この識別情報には、カプセルパケット（１）〜（４）に含まれる分割パケットＡ〜Ｈの共通の識別情報（結合パケット識別情報）と、パケット経路数情報と、カプセルパケット（１）〜（４）それぞれには分割パケットＡ〜Ｈのいずれが含まれており、その分割パケットＡ〜Ｈそれぞれが、元のカプセルパケットのどの位置に配置されるものなのかを示す識別情報（分割パケット位置情報）と、分割方式情報とが含まれる。そして、アドレス設定部１６１が、識別情報（１）〜（４）がそれぞれ付与されたカプセルパケット（１）〜（４）それぞれに、通信回線ごとの送信元アドレスおよび宛先アドレスを付与する。パケット送信部１３１が、送信元アドレスおよび宛先アドレスが付与された分割パケット（１）〜（４）を、それぞれに対応した通信回線を介して通信装置１０２へ送信する。
【００３０】
以上説明したように、本発明においては、送信側の通信装置が、送信するＩＰパケットをカプセルデータ化し、固定バイト単位に分割したカプセルデータを、通信回線経路の数に順番または所定の並びに振り分ける。送信側の通信装置が、振り分けたカプセルデータに元の分割前のデータに復元するための情報である識別情報を付加する。さらに、送信側の通信装置が、通信回線毎の送信元ＩＰアドレスと宛先ＩＰアドレスを付加したＩＰパケットを生成する。このＩＰパケットは、通信回線の数分生成され、送信側の通信装置が、各通信回線に１つのＩＰパケットを送信する。受信側の通信装置は、各通信回線から受信したＩＰパケットの送信元ＩＰアドレスと宛先ＩＰアドレスとを検出する。受信側の通信装置は、検出したＩＰアドレスに基づいて該当装置であることを確認後、ＩＰパケットの中の、識別情報を用いて、分割されてカプセル化されたカプセルデータを１つに結合し、カプセル化を解除する。受信側の通信装置は、カプセル化を解除して、元の送信時のＩＰパケットに復元する。これにより、通信回線内で、悪意のある第三者によりデータが傍受された場合でも、全ての通信回線を傍受しない限り、完全な元のパケットデータは復元できない。このため、データ復元の危険性を回避することが出来る。また、送信側の通信装置が、複数の通信回線に分散してデータを送信するため、データ量が大きい通信に対しても遅延発生の回避ができる。また、一部の通信回線が不通となった場合には、該当通信回線以外の通信回線を使用することにより通信断となる危険を回避することができる。
【００３１】
本発明は、ＩＰパケット通信で、高秘匿性かつ通信速度向上かつ回線障害時の通信継続性維持を有する通信方法に関する発明であり、データを一元管理するデータセンター等の機関での利用が考えられる。
【００３２】
上記の実施の形態の一部または全部は、以下の付記のようにも記載され得るが、以下には限られない。
（付記１）ＩＰパケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部と、
前記複数の通信回線を経由してそれぞれ送信されてきた複数の分割パケットから、該分割パケットそれぞれに付与されている識別情報を用いて、前記ＩＰパケットを復元する復元部とを有する通信装置。
（付記２）前記ＩＰパケットをカプセル化してカプセルパケットを生成するカプセル化部と、
前記復元されたＩＰパケットがカプセル化されている場合、該カプセル化を解除するカプセル化解除部とを有し、
前記パケット分割部は、前記カプセル化部が生成したカプセルパケットを前記複数の分割パケットに分割し、
前記復元部は、前記複数の通信回線を経由してそれぞれ送信されてきた複数の分割パケットから、該分割パケットそれぞれに付与されている識別情報を用いて、前記カプセルパケットを復元する、付記１に記載の通信装置。
（付記３）前記識別情報付与部は、同一のカプセルパケットから分割された複数の分割パケットに同一の第１の識別情報を付与し、該カプセルパケットにおける前記複数の分割パケットのそれぞれの位置を示す第２の識別情報を付与する、付記２に記載の通信装置。
（付記４）前記ＩＰパケットを受信するＩＰパケット受信部と、
前記複数の分割パケットを受信するパケット受信部と、
前記カプセル化解除部がカプセル化を解除したＩＰパケットを送信するＩＰパケット送信部とを有し、
前記カプセル化部は、前記ＩＰパケット受信部が受信したＩＰパケットをカプセル化し、
前記復元部は、前記パケット受信部が受信した複数の分割パケットから前記カプセルパケットを復元する、付記２または付記３に記載の通信装置。
（付記５）前記パケット送信部が送信する前記複数の分割パケットそれぞれに、宛先情報および送信元情報を付与するアドレス設定部を有する、付記１から４のいずれか１項に記載の通信装置。
（付記６）ＩＰパケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部とを有する通信装置。
（付記７）前記ＩＰパケットをカプセル化してカプセルパケットを生成するカプセル化部とを有し、
前記パケット分割部は、前記カプセル化部が生成したカプセルパケットを前記複数の分割パケットに分割する、付記６に記載の通信装置。
（付記８）複数の通信回線を経由してそれぞれ送信されてきた複数の分割パケットから、該分割パケットそれぞれに付与されている識別情報を用いて、ＩＰパケットを復元する復元部を有する通信装置。
（付記９）前記復元されたＩＰパケットがカプセル化されたカプセルパケットである場合、該カプセル化を解除するカプセル化解除部を有し、
前記復元部は、前記複数の通信回線を経由してそれぞれ送信されてきた複数の分割パケットから、該分割パケットそれぞれに付与されている識別情報を用いて、前記カプセルパケットを復元する、付記８に記載の通信装置。
（付記１０）ＩＰパケットを複数の分割パケットに分割するパケット分割部と、
前記複数の分割パケットそれぞれに、前記ＩＰパケットを復元するための識別情報を付与する識別情報付与部と、
前記識別情報が付与された複数の分割パケットそれぞれを複数の通信回線を経由して送信先の装置へ送信するパケット送信部とを有する第１の通信装置と、
前記複数の通信回線を経由してそれぞれ送信されてきた複数の分割パケットから、該分割パケットそれぞれに付与されている識別情報を用いて、前記ＩＰパケットを復元する復元部を有する第２の通信装置とを有する通信システム。
【符号の説明】
【００３３】
１００，１０１，１０２，２０１，２０２    通信装置
１１０，１１１    パケット分割部
１１２    パケット受信部
１２０，１２１    識別情報付与部
１２２    アドレス検出部
１３０，１３１    パケット送信部
１４０，１４２    復元部
１４１    ＩＰパケット受信部
１５１    カプセル化部
１５２    カプセル化解除部
１６１    アドレス設定部
１６２    ＩＰパケット送信部
１３２，１７１    ＩＰアドレス格納部
３０１，３０２    ローカルネットワーク
４０１−１，４０１−２，４０１−３    通信回線
【図１】
2017168981.tif 000003
【図２】
2017168981.tif 000004
【図３】
2017168981.tif 000005
【図４】
2017168981.tif 000006
【図５】
2017168981.tif 000007
【図６】
2017168981.tif 000008
【図７】
2017168981.tif 000009
【図８】
2017168981.tif 000010
【図９】
2017168981.tif 000011
【図１０】
2017168981.tif 000012
【図１１】
2017168981.tif 000013
【図１２】
2017168981.tif 000014
【図１３】
2017168981.tif 000015
【図１４】
2017168981.tif 000016